(57)【要約】【課題】女性の月周期で現れる体調の変化を精度よく判定し、現在の総合的な体調を把握できる装置を提供すること。【解決手段】生体電気インピーダンスの測定から算出される体水分量の推移に基づいて婦人の月周期で現れる体調の判定を行う。更には、体水分量と生体電気インピーダンス値の２つの指標の推移から、より正確に体調の判定を行うこととする。判定された体調と共に、現在の体重や体水分量も表示することで現在の総合的な体調を把握できるものとする。【選択図】図５
2005052516.tif 000002
【特許請求の範囲】
【請求項１】
生体電気インピーダンスを測定するためのインピーダンス測定手段と、
体重を入力するための体重入力手段と、
測定された生体電気インピーダンス値と入力された体重とから、被験者の体水分量を算出する体水分量算出手段と、
算出された体水分量を記憶する体水分量記憶手段と、
記憶されている体水分量の推移に基づいて、婦人の月周期で現れる体調の変化を判定する体調判定手段とを備える婦人用体調管理装置。
【請求項２】
生体電気インピーダンスを測定するためのインピーダンス測定手段と、
体重を入力するための体重入力手段と、
測定された生体電気インピーダンス値を体重入力手段から入力された体重により補正する生体電気インピーダンス補正手段と、
補正された生体電気インピーダンス値と入力された体重とから、被験者の体水分量を算出する体水分量算出手段と、
算出された体水分量を記憶する体水分量記憶手段と、
記憶されている体水分量の推移に基づいて、婦人の月周期で現れる体調の変化を判定する体調判定手段とを備える婦人用体調管理装置。
【請求項３】
生体電気インピーダンスを測定するためのインピーダンス測定手段と、
体重を入力するための体重入力手段と、
入力された体重値と測定された生体電気インピーダンス値から、被験者の体水分量を算出する体水分量算出手段と、
前記測定された生体電気インピーダンス値と算出された体水分量とを記憶する記憶手段と、
記憶されている生体電気インピーダンス値と体水分量の推移に基づいて、婦人の月周期で現れる体調の変化を判定する体調判定手段とを備える婦人用体調管理装置。
【請求項４】
生体電気インピーダンスを測定するためのインピーダンス測定手段と、
体重を入力するための体重入力手段と、
測定された生体電気インピーダンス値を体重入力手段から入力された体重により補正する生体電気インピーダンス補正手段と、
入力された体重値と測定された生体電気インピーダンス値から、被験者の体水分量を算出する体水分量算出手段と、
前記補正された生体電気インピーダンス値と算出された体水分量とを記憶する記憶手段と、
記憶されている補正された生体電気インピーダンス値と体水分量の推移に基づいて、婦人の月周期で現れる体調の変化を判定する体調判定手段とを備える婦人用体調管理装置。
【請求項５】
前記体重入力手段は体重を測定する体重測定装置であり、測定された体重値が入力される体重値として用いられることを特徴とする請求項１から４のいずれか１項に記載の婦人用体調管理装置。
【請求項６】
前記体調判定手段は更に、測定された体水分量と記憶された体水分量との比較からむくみの発症に関する判定を行うことを特徴とする請求項１から４のいずれか１項に記載の婦人用体調管理装置。
【請求項７】
更に、判定された体調と共に現在の体水分量を表示する表示手段を備えることを特徴とする請求項１から４のいずれか１項に記載の婦人用体調管理装置。
【発明の詳細な説明】
【技術分野】
【０００１】
本発明は、排卵日、ＰＭＳ期、月経期、妊娠可能日等の婦人の月周期で現れる体調の判定や、ＰＭＳ期に起こりやすいむくみを判定する婦人用体調管理装置に関するものである。
【背景技術】
【０００２】
婦人の月周期で現れる体調は基礎体温と密接な関係を有しており、排卵日を境に基礎体温は低温期から高温期に移行し、月経開始日を境に低温期から高温期に徐々に推移することが知られている。
【０００３】
更に、この女性の１ヶ月の体調変化は一般的に月経中、月経後、排卵後、月経前の４つの期間に分けて説明され、実際にその期間毎に精神と身体が微妙に変化すると言われる。特に月経前から月経中は、人によっては通常より体重が１〜３ｋｇ程度増加するとも言われている。
【０００４】
また月経前一週間は、ＰＭＳ（Premenstual Syndrome）期とも呼ばれ、多くの婦人が頭痛やイライラ、腹痛といった何らかの不快な症状に悩まされている。特にこの時期の症状としては体内に水分を貯留するむくみの発生があるとされ、そのむくみの発生が頭痛や腹痛の原因となっているという説もある。
【０００５】
このような時期に、運動や食事制限をして減量を行っても、ストレスが貯まりやすく効率が悪いうえに、その反動で普段以上に飲食をしてしまうという事態も起き、むしろ逆効果であるとも言われている。
【０００６】
またＰＭＳ期の不快な症状を緩和するには、自分がその状態にあることを認識し、その症状も健康の証であるとポジティブに捕らえることがよいと言われている。
【０００７】
この女性の体調変化は月経であれば、自身の体調から解るものである。
【０００８】
また、生体電気インピーダンスから女性の月周期で現れる体調を判定し管理するものが提案されている。これは女性の月経周期における体水分量の変化に着目し、生体電気インピーダンスを測定することで体水分量を推定し、その推移から月経の周期を判定している（例えば、特許文献１参照）。
【０００９】
また、生体電気インピーダンスの測定から体水分量を算出するものがある。算出された体水分量をグラフで表示するものがある。（例えば、特許文献２参照）。
【００１０】
また、生体電気インピーダンスの測定から体水分量を算出し、むくみの状態を判定するものがある（例えば、特許文献３参照）。あるいは生体電気インピーダンスの測定を複数周波数の入力電流で行い、細胞内液量、細胞外液量といった体水分の種類を細かく測定し、それらの比率から体水分量の状態を判定するものもある（例えば特許文献４参照）。
【特許文献１】特開２００１−７８９７７号公報
【特許文献２】特開平１１−３１８８４５号公報
【特許文献３】特開２００１−１９８０９８号公報
【特許文献４】特開２００２−４５３４６号公報
【発明の開示】
【発明が解決しようとする課題】
【００１１】
従来の生体電気インピーダンスの変化から女性の月経周期を判定し、体調管理に役立てるものは、現在が月経周期中のどの時期であるかを知ることができるとしているが、生体電気インピーダンス値は、姿勢の変化や体温の変動といった要因でも、変化し易いものであり、生体電気インピーダンスの推移から月経周期を判定することは、その判定精度は決して高いものではなく、実際に装置として使用するには難しいものであった。
【００１２】
また、従来の体水分計では総体水分量や細胞内外液量及び体水分量の時系列的な変化などを知ることができるが、健康や体調の管理に有用な役立つ指標にはなっておらず、測定時の絶対量を知るだけであった。また、細胞内液量対細胞外液量比や細胞外液量対総体水分量比の過去の値と比較してむくみ度合いを判定している。しかし、「むくみ」を示す数値が同じでも、むくみを感じる時もあれば、それ程感じない時もあり、さらにむくみを感じやすい人と感じにくい人といったように、むくみを感じる度合いは個人差や体の状態によって異なる。つまり数値では「むくんでいる」と判定されてもむくみを感じない場合もあり、測定者は判定結果を不審に思ってしまう。
【００１３】
本発明はこのような問題点を鑑みてなされるものであり、女性の月周期で現れる体調の変化を精度よく判定すること、また、体水分やむくみといった女性の身体で変化し易い指標に関する情報も示すことで、現在の総合的な体調を把握できる装置を提供することである。
【課題を解決するための手段】
【００１４】
本発明の婦人用体調管理装置では、
生体電気インピーダンスを測定するためのインピーダンス測定手段と、
体重を入力するための体重入力手段と、
測定された生体電気インピーダンス値と入力された体重とから、被験者の体水分量を算出する体水分量算出手段と、
算出された体水分量を記憶する体水分量記憶手段と、
記憶されている体水分量の推移に基づいて、婦人の月周期で現れる体調の変化を判定する体調判定手段とを備える。
【００１５】
また、本発明の婦人用体調管理装置では、
生体電気インピーダンスを測定するためのインピーダンス測定手段と、
体重を入力するための体重入力手段と、
測定された生体電気インピーダンス値を体重入力手段から入力された体重により補正する生体電気インピーダンス補正手段と、
補正された生体電気インピーダンス値と入力された体重とから、被験者の体水分量を算出する体水分量算出手段と、
算出された体水分量を記憶する体水分量記憶手段と、
記憶されている体水分量の推移に基づいて、婦人の月周期で現れる体調の変化を判定する体調判定手段とを備える。
【００１６】
また、本発明の婦人用体調管理装置では、
生体電気インピーダンスを測定するためのインピーダンス測定手段と、
体重を入力するための体重入力手段と、
入力された体重値と測定された生体電気インピーダンス値から、被験者の体水分量を算出する体水分量算出手段と、
前記測定された生体電気インピーダンス値と算出された体水分量とを記憶する記憶手段と、
記憶されている生体電気インピーダンス値と体水分量の推移に基づいて、婦人の月周期で現れる体調の変化を判定する体調判定手段とを備える。
【００１７】
また、本発明の婦人用体調管理装置では、
生体電気インピーダンスを測定するためのインピーダンス測定手段と、
体重を入力するための体重入力手段と、
測定された生体電気インピーダンス値を体重入力手段から入力された体重により補正する生体電気インピーダンス補正手段と、
入力された体重値と測定された生体電気インピーダンス値から、被験者の体水分量を算出する体水分量算出手段と、
前記補正された生体電気インピーダンス値と算出された体水分量とを記憶する記憶手段と、
記憶されている補正された生体電気インピーダンス値と体水分量の推移に基づいて、婦人の月周期で現れる体調の変化を判定する体調判定手段とを備える。
【００１８】
また、本発明の婦人用体調管理装置では、
前記体重入力手段は体重を測定する体重測定装置であり、測定された体重値が入力される体重値として用いられることとする。
【００１９】
また、本発明の婦人用体調管理装置では、
前記体調判定手段は更に、測定された体水分量と記憶された体水分量との比較からむくみの発症に関する判定を行うこととする。
【００２０】
また、本発明の婦人用体調管理装置では、
更に、判定された体調と共に現在の体水分量を表示する表示手段を備えることとする。
【発明の効果】
【００２１】
本発明の婦人用体調管理装置では、体水分量の推移に基づいて婦人の月周期で現れる体調の判定を行うものであり、体水分量という女性の身体において月経の周期変化に伴い変化する指標自体の推移から判定を行うため、体調の判定がより正確に行われることになる。
【００２２】
また、本発明の婦人用体調管理装置では、体水分量と生体電気インピーダンス値という２つの指標の推移から婦人の月周期で現れる体調の判定を行うため、体調の判定を更に正確に行うことができる。
【００２３】
また、本発明の婦人用体調管理装置では、婦人の月周期で現れる体調の判定を行う指標に用いる生体電気インピーダンス値を体重値の変化に応じて補正するので、より正確に体調の判定を行うことできる。
【００２４】
また、本発明の婦人用体調管理装置では、婦人の月周期で現れる体調の判定に加えて、測定時点での体水分量から、むくみの状態に関する判定を行うので、特に月経前にむくみが発生しているかを把握でき、利用者は自身の体調をより良く把握することができる。
【００２５】
また、本発明の婦人用体調管理装置では、婦人の月周期で現れる体調の判定に加えて、測定された体水分量を示すので、利用者は自身の身体内の体水分量を理解することができ、有益なものとなる。
【発明を実施するための最良の形態】
【００２６】
本発明の婦人用体調管理装置について説明する前に、本発明の発明者が複数の被験者について測定を繰り返すことによって見出し、後述する本発明に係る婦人用体調管理装置による判定の基礎となる生体電気インピーダンス値（ＢＩ）及び体水分量と婦人の月周期で現れる体調との関係について説明する。
【００２７】
ＢＩと婦人の月周期で現れる体調との関係については、前述の特開２００１−７８９７７号公報にも記載されているが、ここでも簡単に説明する。尚、この説明においては、月経周期が２８日の婦人の場合を示し、月経初日から７日間を月経期、排卵日から７日前までを好調期、排卵日から７日間を維持期、次の月経初日から７日前までを不調期と定義して説明する。
【００２８】
図１は、婦人の月経周期におけるＢＩの推移と、ＢＩと体重をパラメータとして用いて算出した体水分量の推移を示す図である。ＢＩは月経直前から上昇し始め、月経期中は高値を示し、月経終了後の好調期も引き続き高値を保つ、その後、排卵日を境にしてＢＩは下降し、維持期には低値を示す。その後、不調期になると、ＢＩは徐々に上昇していく傾向が見られる。
【００２９】
これを婦人の身体における基礎体温及び体水分の変化を考慮して説明すると、月経前の不調期から婦人の身体が水分を貯蔵してむくみを生じるとされる。これは、その後発生する月経に備えるための身体の働きとされるが、この現象により月経前の維持期・不調期から月経日にかけて体水分は増加し始め、月経を境に徐々にむくみも解消するとされる。この体水分量の減少は、その後の好調期においても継続して生じ、一般的には、排卵付近で最も少ない貯留量となる傾向がある。体水分量の増減は、婦人の身体において体重の増減に直接に関わってくる変化であり、つまり健康な婦人において体重は、月経付近が最も多く、排卵付近で最も少ない状態となる傾向がある。
【００３０】
体水分量の増加は、生体電気インピーダンス値においては、その値が下がることを意味する。従ってＢＩは月経前にはやや低下するが、月経日頃には維持期と同程度の値に戻り、その後、体水分量の減少に応じてＢＩは高くなっていく。この月経前から月経中におけるむくみの発症は、全ての婦人に対して当てはまる症状ではないが、程度の差はあるものの、かなり多くの婦人において発症していると考えられる。
【００３１】
排卵においては、その日を境にして基礎体温が上昇するとされる。基礎体温の上昇は生体電気インピーダンス値においては、その値が下降することになる。従って、好調期から維持期に変化する排卵日を境にして、ＢＩは低下することになる。
【００３２】
その後、維持期においてＢＩは低値を示し、不調期へと推移していく。
【００３３】
ＢＩと体重から算出される体水分量の変化だけで見た場合、月経開始から体水分量は減少し、月経終了後の好調期においては安定した値を示し、維持期においては好調期に比べ僅かに増加した値となり、不調期においては更に増加していく傾向にある。
【００３４】
尚、排卵の際にＢＩが低値に変化するのに対し、体水分量においては大きな変動が見られない。これは、排卵の時点で体重が最も少ない状態にあることが関与していると考えられる。ここで示している体水分量は後述するＴＢＷの演算式により算出される値であるが、ＢＩの低値が体重の減少の影響により相殺されており、算出される体水分量は大きな変化として現れてはいない。
【００３５】
ただし、人によっては図１の体水分量の推移を示すグラフの点線で示すように排卵前後において、若干の体水分量の一時的増加が見られる。これは排卵に伴う諸症状の発生によるものであり、各被験者の体質が関与しているかと考えられる。
【００３６】
以上のようなＢＩと体水分量の推移関係と、一般的に言われている婦人の月経周期の日数計算とから、婦人の月周期で現れる体調の判定として次のことが言える。
【００３７】
・月経初日から７日間は月経期と言え、その後好調期に移行する。
・月経期の終了後、ＢＩが高値から低値に低下したこと、または一時的な体水分の増加が見られる時、排卵が起きたといえる。
・排卵後７日程度の経過後、体水分量の増加あるいはＢＩの低下が見られたら、不調期になったといえる。
【００３８】
本発明ではこのような判定を行うことで、婦人の月周期に現れる体調の判定をより正確に行うものとする。
【００３９】
また、体水分量、むくみの測定・判定を行い、それらの指標も合わせて報知することとする。
【実施例１】
【００４０】
本発明の実施例を図面を用いて説明する。
【００４１】
図２は本発明の実施例における婦人用体調管理装置の外観図である。図３は図２に示す婦人用体調管理装置生体測定装置１の内部接続状態を示すブロック図である。
【００４２】
婦人用体調管理装置１の上面にはインピーダンス測定手段として、利用者の両足間におけるインピーダンスを測定することが出来るように、一対の電流供給電極２Ａ、２Ｂと電圧測定電極３Ａ、３Ｂの４つの電極を備える。 
【００４３】
また、入力手段であるアップスイッチ６Ａ、ダウンスイッチ６Ｂ、設定スイッチ６Ｃの３つのスイッチからなる。更に入力された個人の身体情報や測定された体重、演算された結果を表示する表示手段である表示装置７を備える。
【００４４】
更に、婦人用体調管理装置本体１の手前側面には、電源スイッチ８が設けられている。
【００４５】
婦人用体調管理装置１の内部には図３に示すように、測定および判定に関する制御および演算処理等を行うＣＰＵ、制御および演算用プログラム、定数等を記憶するＲＯＭ、演算結果や外部より読み込んだプログラム、パラメータ等を一時的に記憶するＲＡＭ、他にタイマー、ＩＯポート等を有するマイクロコンピュータ１０を備える。このマイクロコンピュータ１０は体水分量の算出や体調の判定を行うものであり、体水分量算出手段、体調判定手段である。
【００４６】
本管理装置１は、更に、測定状況や判定結果等を表示する表示装置７、外部機器への判定結果の出力、外部機器からの制御命令およびパラメータの入力等、外部との入出力を行うための外部入出力インターフェイス１３、測定に関するパラメータ等を記憶、読み出し、更新可能な不揮発性の記憶手段である補助記憶装置１４、本判定装置１に対する制御命令の入力等を行うためのアップスイッチ６Ａ、ダウンスイッチ６Ｂ、設定スイッチ６Ｃ及び電源スイッチ８といった複数のスイッチからなるキースイッチ群１５を備える。
【００４７】
マイクロコンピュータ１０から出力された信号を生体印加用信号に成形するフィルタ回路２１、フィルタ回路２１から出力された信号を一定の実効値にする交流電流出力回路２２、交流電流出力回路２２の出力の一端子に接続された、被験者を流れる電流を検出するための基準抵抗２３、基準抵抗２３を介して交流電流出力回路２２の一出力端子に接続された、被験者に測定電流を印加するための測定電流供給電極２Ｂ、交流電流出力回路２２の別の出力端子に接続された、被験者に測定電流を印加するための測定電流供給電極２Ａ、基準抵抗２３の両端の電位差を検出する差動増幅器２６、被験者の２点の電位を検出するための電位測定電極３Ａ、３Ｂ、電位測定電極３Ａ、３Ｂに接続された、それらの電極間の電位差を検出するための差動増幅器２７、被験者の体重を測定する荷重検出装置２８、荷重検出装置２８の出力信号を増幅する増幅器２９、差動増幅器２６、２７の出力および増幅器２９の出力の内のいずれか１つをマイクロコンピュータ１０の制御により選択出力する切替器３０、切替器３０からの出力であるアナログ信号をデジタル信号に変換し、マイクロコンピュータ１０へ出力するＡ／Ｄ変換器３１を備える。
【００４８】
次に本発明の婦人用体調管理装置１の動作について説明する。
【００４９】
図４，図５は本発明の婦人用体調管理装置１の動作を示すフローチャートであり、図６から図８は表示装置２における表示の状態を表す図である。
【００５０】
電源スイッチ８が押されると婦人用体調管理装置１の電源がオンとなり（ステップＳ１）、装置は初期化されて、マイクロコンピュータ１０は動作モードとなる（ステップＳ２）。ここで図６（ａ）に示すよう表示装置７には初期画面が表示される（ステップＳ３）。
【００５１】
ここで設定スイッチ６Ｃが押されると設定モードとなり（ステップＳ４）、図６（ｂ）に示すよう表示装置７には個人情報の入力画面が表示される（ステップＳ５）。
【００５２】
図６（ｂ）に示す個人情報入力画面では、どの項目について入力するかを選択することとなり、アップスイッチ６Ａ及びダウンスイッチ６Ｂを用いて、項目を選択し、設定スイッチ６Ｃが押されることで項目が決定される。月経に関する情報の入力が決定されると（ステップＳ６）、表示装置７は図６（ｃ）に示すように月経に関する情報を入力するように表示される（ステップＳ７）。ここでは被験者の前回の月経が起きた日と、被験者が自己で把握しているおおよその月経周期の日数を設定する。ここで設定された前回月経が起きた日を今周期の初日として設定し、また入力された月経周期から次回の予想される月経初日を算出する。（ステップＳ８）。
【００５３】
次に個人身体情報の設定が選択された場合には（ステップＳ９）、図６（ｄ）に示すよう表示装置７は個人パラメータを入力する画面を表示する（ステップＳ１０）。
【００５４】
設定モードにおける月経情報及び個人パラメータの入力が完了すると、表示装置７は図６（ｅ）に示すよう設定が完了したことを表示する（ステップＳ１１）。
【００５５】
ステップＳ４において、設定スイッチ６Ｃが押されていない場合には、被験者が装置の上に載ったかを荷重検出装置２８の出力により検出する（ステップＳ１２）。ここで一定値以上の荷重が検出された場合には被験者が装置に載って測定状態にあるとして体重の測定を行うよう表示装置７は図６（ｆ）に示すように表示する。荷重検出装置２８からの出力信号は増幅器２９において増幅され、切替器３０を介しＡ／Ｄ変換器３１に入力される。Ａ／Ｄ変換器３１に入力された荷重信号はアナログ信号からデジタル信号に変換されてマイクロコンピュータ１０に送られる。マイクロコンピュータ１０は入力された信号から体重値を算出して被験者の体重を算出する（ステップＳ１３）。
【００５６】
ステップＳ１２において荷重が検出されない場合には、ステップＳ３へと戻り、図６（ａ）に示す初期画面の表示を続けることになる。
【００５７】
体重の測定後、生体電気インピーダンスの測定を行う（ステップＳ１４）。マイクロコンピュータ１０内のＲＯＭに予め書き込まれている測定制御パラメータに従ってマイクロコンピュータ１０からフィルタ回路２１へ信号が供給され、フィルタ回路２１は供給された信号を生体印加用信号に成形し、その出力は交流電流出力回路６８に供給される。交流電流出力回路２２は信号を一定の実効値にし、その出力は、その一出力端子に基準抵抗２３を介して接続された、被験者に接触する電流供給電極２Ｂ、およびその別の出力端子に接続された電流供給電極２Ａより被験者に印加される。電流が被験者に印加されている間に、被験者に接触する１対の電圧測定電極３Ａ、３Ｂより被験者の両足間の電位が検出され、それらの出力は差動増幅器２７に供給される。差動増幅器２７は被験者の両足間の電位差信号を出力する。また、電流が被験者に印加されている間に、差動増幅器２６は基準抵抗２３の電位差信号を出力する。差動増幅器２６および２７からの電位差信号は、マイクロコンピュータ１０の制御信号で切替器３０を切り替えることにより、Ａ／Ｄ変換器３１に供給される。Ａ／Ｄ変換器３１は、これら供給されたアナログ信号をデジタル信号に変換し、その出力はマイクロコンピュータ１０に供給され、マイクロコンピュータ１０は供給されたデジタル信号に基づいて生体電気インピーダンス値を算出する（ステップＳ１４）。
【００５８】
ここで測定された生体電気インピーダンス値はステップＳ１３で測定された体重値に基づいて次に示すような補正式において補正され、体重補正ＢＩとして算出される。
【００５９】
補正式１：体重補正ＢＩ＝ＢＩ＋Ａ×初回に測定された体重との差異
補正式２：体重補正ＢＩ＝ＢＩ＋Ｂ×前回測定された体重との差異
【００６０】
つまり体重補正ＢＩは、ＢＩから体重の増減に伴うＢＩの増減を減算もしくは加算することにより得られるものであり、補正式１もしくは補正式２から算出される。ここで、Ａ及びＢは補正係数である。これにより、体重変化の影響が除去された体重補正ＢＩが算定される。尚、後述する婦人の月周期で現れる体調の判定に用いる生体電気インピーダンス値は、この補正された生体電気インピーダンス値を使用することとなる。
【００６１】
この生体電気インピーダンスの測定は、更に複数の周波数の交流電流を用いて行われる。ここで、複数の周波数の交流電流を用いた生体電気インピーダンス測定動作について説明する。
【００６２】
この多周波生体電気インピーダンス測定は、周波数Ｆｉをｉ＝１からはじめて、設定されているｎ回に亘り行う。第一番目の周波数における測定の初期設定として、ｉ＝１が設定され、このｉの値によって周波数Ｆｉが設定される。前述したようにマイクロコンピュータ１０内のＲＯＭに予め配置された測定制御パラメータ（以下、測定制御パラメータと略記する）を基に出力信号周波数は設定され、その出力信号がフィルタ回路２１を介して交流電流出力回路２２へ出力される。その交流電流出力は、各電流供給電極２Ａ，２Ｂ，を通して被測定者に印加される。
【００６３】
この時、被測定者に流れる電流を別途設けられた基準抵抗２３より検出し、その出力のアナログ信号をＡ／Ｄ変換器３１を用いてデジタル信号に変換し、その結果をマイクロコンピュータ１０内のＲＡＭに記憶する。同時に、被測定者に接触された電圧測定電極３Ａ，３Ｂを通して差動増幅器２７に入力され、入力されたそれぞれの電圧の差である信号を切替器３０を介してＡ／Ｄ変換器３１に出力する。Ａ／Ｄ変換器３１は、入力されたアナログ信号をデジタル信号に変換することで生体電気インピーダンスを測定し、その結果をマイクロコンピュータ１０内のＲＡＭに記憶する。
【００６４】
第一番目の周波数によるインピーダンス測定が終了したら、ｉ＝ｉ＋１とし、規定の測定回数を終了していないか判定する。ここで、ｉが設定回数のｎを越えていたら、インピーダンスの測定は終了となり、未だ越えていなければ、次の周波数でのインピーダンス測定を行うことになる。
【００６５】
次に、測定値から、インピーダンスベクトル軌跡およびそれに関するパラメータを算出する。ここでインピーダンスベクトル軌跡およびそれに関するパラメータの算出方法について簡単に説明する。
【００６６】
生体電気インピーダンス値は通常、図９に示すような、細胞外液抵抗Ｒｅ、細胞内液抵抗Ｒｉ、細胞膜容量Ｃｍから成る集中定数による等価回路で説明されるが、実際には生体を構成する個々の細胞は、その形状や性質の差異により、それぞれ定数の異なる回路で表されるため、その集合体である生体では、インピーダンスベクトル軌跡は集中定数による等価回路を測定した場合のように半円とはならずに、コール−コールの円弧則に従う円弧となるとされている。従って、生体の電気インピーダンスは一般的に、図１０に示すような円弧状の軌跡を描くことになる。求めるベクトル軌跡が円弧であるという仮定から、Ｆｉ周波数（ｉ＝１〜ｎ）におけるそれぞれの生体電気インピーダンス測定値Ｚ１、Ｚ２、……・Ｚｎは、図１１に示すようになる。ここでは、インピーダンス平面の実軸（横軸）をＸ軸、虚軸である縦軸をＹ軸として記述する。
【００６７】
そして、座標上にプロットされたＺｉ（ｉ＝１〜ｎ）から、一つの相関関数を得る。それが、下式となるのである。
【００６８】
（Ｘ−ａ）2＋（Ｙ−ｂ）2＝ｒ2
ここで、ａは、円の中心のＸ座標、ｂは、円の中心のＹ座標、ｒは、円の半径を表している。これら、すなわち、ｎ点間の近似相関式である。これにより、
Ｘ＝ａ±√（ｒ2−ｂ2）
が得られ、さらに、Ｒｏ＞Ｒｉｎｆであるから、
Ｒｏ＝ａ＋√（ｒ2−ｂ2）
Ｒｉｎｆ＝ａ−√（ｒ2−ｂ2）
となる。これより、図９の等価回路におけるＲｅおよびＲｉは、
Ｒｅ＝Ｒｏ
Ｒｉ＝Ｒｏ・Ｒｉｎｆ／（Ｒｏ−Ｒｉｎｆ）
と求められる。
【００６９】
特性周波数ＦｃにおけるインピーダンスベクトルＺｃは、そのときの虚軸成分であるリアクタンス、すなわち、ここでのＹ軸成分の絶対値が最大になる点であるため、その実軸成分であるＸ座標および虚軸成分であるＹ座標は、
Ｘ＝ａ、  Ｙ＝ｂ−ｒ
従って、
Ｚｃ＝ａ＋ｊ（ｂ−ｒ）
とも表され、レジスタンス成分Ｒとリアクタンス成分Ｘを求めることができる。
【００７０】
また、求められたインピーダンスベクトル軌跡、および、それに関するパラメータであるＲｏおよびＲinf、または、ＲeおよびＲｉの値と、個人パラメータとして入力された性別、身長、体重、年齢の値とに基づいて、既知の計算方法により、細胞内液量ＩＣＷ、細胞外液量ＥＣＷ、細胞内外液量比ＩＣＷ／ＥＣＷ、体水分量ＴＢＷ（＝ＩＣＷ＋ＥＣＷ）等の値も求められる。例えば、細胞内液量ＩＣＷ、細胞外液量ＥＣＷ、体水分量ＴＢＷの値は、Ｒｉ、Ｒｅ、身長Ｈｔ、体重Ｗの値を用いて、公知である以下の式により求められる。
【００７１】
ＩＣＷ＝Ｋi1Ｈｔ2／Ｒｉ＋Ｋi2Ｗ＋Ｋi3
ＥＣＷ＝Ｋe1Ｈｔ2／Ｒe＋Ｋe2Ｗ＋Ｋe3
ＴＢＷ＝ＩＣＷ＋ＥＣＷ
（但し、Ｋi1、Ｋi2、Ｋi3、Ｋe1、Ｋe2、Ｋe3は係数）
【００７２】
以上のような測定・演算により体水分量を算出することができる（ステップＳ１５）。ここで算出された体水分量が、今回の月経周期における平均の体水分量と比較して５％以上の増加が見られる場合には、測定時にむくみが発生しているとされる。
【００７３】
次に、被験者の体調の判定を行う。
【００７４】
本実施例で説明する婦人用体調管理装置１では、女性の月周期で現れる体調の判定の各期間を次の様な判定方法により判定を行う。
（１）入力された月経開始日データの日にちを月経開始日とする。
（２）月経開始日から一週間を第一の期間（月経期）とする。
（３）その次の日から少なくとも５日間は第二の期間（好調期）とする。
（４）今週期のそれまでの第二の期間（好調期）の平均ＢＩ値より４％低いＢＩ値が測定される前日まで又は今回の第一の期間終了後５日間の平均体水分量より５％高い体水分量が算出された前日までを第二の期間（好調期）とし、その最終日を排卵日とする。
（５）その次の日から、過去のデータから推測される次の月経開始予定日（過去の月経周期の平均日数から割り出す）の一週間前の日までを第三の期間（維持期）とする。
（６）次の日から、次の月経開始日データが入力される日までを第四の期間（不調期）とする。
（７）または第三の期間（維持期）中に体水分量が前日より５％以上増加した時点で、第四の期間（不調期）とする。
【００７５】
以上のような判定方法を用いるが、本管理装置１では具体的には次のような処理に従い、判定を行うことになる（ステップＳ１７）。
【００７６】
体調判定ルーチンでは最初に、測定日から３日以内に測定されたデータが補助記憶装置１４に存在するかをチェックする（ステップＳ２１）。これは本発明の管理装置は基本的には毎日、測定することにより生体電気インピーダンス値及び体水分量の推移から、体調の判定を行うものであるが、仮に、前日に測定できない日があった場合に、３日前までのデータと比較することで判定を行うこととする。ここで、３日以内のデータが存在しない場合には、判定不可能とする（ステップＳ２２）。
【００７７】
ステップＳ２１で、３日以内のデータがある場合には、判定の第一段階として、月経開始日から７日以内かの日数計算をする（ステップＳ２３）。ここで月経開始日から７日以内であれば月経期間とする（ステップＳ２４）。
【００７８】
ステップＳ２３で月経開始日から７日以内ではない場合には、前日（または前回の測定日）における体調が好調期であったかをチェックする（ステップＳ２５）。ここで前日が好調期であった場合には、未だ好調期が続いているかをチェックする。今回、測定されたＢＩ（ここでは測定周波数５０ｋＨｚ時）が、ＲＡＭに記憶されている今周期における好調期のＢＩ平均値と比較して、４％以上低下したかをチェックする（ステップＳ２６）。
【００７９】
また、今回の周期における体水分量の平均値と比較して５％以上増加しているかをチェックする（ステップＳ２７）。これは図１の体水分量の変化を示した図において点線で示した体水分量の増加が生じているかをチェックするものである。
【００８０】
また、月経周期の日数計算における次回の月経予想日から、１１日以内であるかをチェックする（ステップＳ２８）。これは、ＢＩ測定と体水分量の測定による判定だけでは、排卵のチェックが不十分となる可能性もあるため、そのような場合に備えて、単純な日数計算からの排卵予想日のチェックを行う。
【００８１】
このステップＳ２６〜Ｓ２８までのチェックにおいて、全て当てはまらない場合には、未だ好調期にあるとする（ステップＳ２９）。
【００８２】
ステップＳ２６〜Ｓ２８までのチェックにおいて、１つでも当てはまる場合には排卵が起きて維持期に移行したとする（ステップＳ３０）。
【００８３】
ステップＳ２５において好調期ではない場合には、前日が維持期であったかを判定する（ステップＳ３１）。ここで前日が維持期であった場合には、今周期における維持期のＢＩ平均値と比較して、４％以上上昇したかをチェックする（ステップＳ３２）。これはむくみの発生により、ＢＩ値が上昇しているかをチェックするためである。
【００８４】
また、二日前の体水分量と比較して、５％以上の増加が生じているかをチェックする（ステップＳ３３）。これも月経前のむくみが発生しているかを体水分量の変化から判定するためである。
【００８５】
また、月経周期の日数計算における次回の月経予想日から、４日以内であるかをチェックする（ステップＳ３４）。これは、月経前において、必ずしも顕著なむくみ（体水分の貯留）が見られない婦人もおり、そのような場合には、ＢＩ値及び体水分量の推移だけでは、月経前の判定が困難なため、単純な日数計算からの月経前のチェックを行う。
【００８６】
このステップＳ３２〜３４までのチェックにおいて、全て当てはまらない場合には、未だ維持期にあるとする（ステップＳ３０）。
【００８７】
ステップＳ３２〜３４までのチェックにおいて、１つでも当てはまる場合には、月経前の不調期にあるとする（ステップＳ３５）。また、ステップＳ３１において維持期でない場合には、未だ不調期が続いているためステップＳ３５に進むことになる。
【００８８】
以上のような判定処理により、体調判定ルーチンでは現在の体調が判定される（ステップＳ３６）。
【００８９】
図４に戻り説明を続けると、判定された体調が表示装置１２に表示される。図７（ｂ）〜（ｆ）は判定結果の表示状態を表す図である。図７（ｂ）は月経期を、図７（ｃ）は好調期を、図７（ｄ）は維持期を、図７（ｅ）は不調期を、図７（ｆ）は不調期においてむくみが発生している場合の表示を表している。
【００９０】
尚、体調判定が不可能だった場合には、図８（ａ）に示すようそのことを知らせる表示が行われる。
【００９１】
判定結果が表示されてから一定時間経過後、今回測定された体重、体水分量、体調が表示される。図８（ｂ）は、体調が好調期であった場合の表示例を示すものである。
【００９２】
判定結果の表示後、今回測定されたデータはマイクロコンピュータ１０内のＲＡＭから補助記憶装置１４に転送され、その日にちと共に記憶される（ステップＳ１９）。その後、一定時間が経過すると表示装置１２の表示が消去すると共に、婦人用体調管理装置１の電源はオフとなる（ステップＳ２０）。
【００９３】
以上、本発明の実施例を説明したが、本発明の実施例での各期間の判定に示した数値は一例であり、この値に限るものではなく、判定の精度に応じて適宜変更できるものである。
【００９４】
また、生体電気インピーダンス値と体水分量の推移から、婦人の月周期の体調の判定を行う装置として説明したが、これに限らず、体水分量の推移のみから体調を判定するものや、日数計算と体水分量の推移を組み合わせて体調の判定を行うものとしてもよい。そのような場合には、月経予想日の数日前に体水分量の増加が見られたら不調期になったことを判定することが可能である。
【００９５】
また、ここでは多周波数の生体電気インピーダンス測定により体水分量の算出を行うものとして説明を行ったが、単一周波数による生体電気インピーダンス測定から体水分量の算出を行っても良く、この時も体重値により生体電気インピーダンス値を補正し、その補正した生体電気インピーダンス値を用いて体水分量の算出を行う形態とすれば、体重の変化によるインピーダンス値の変化を補正でき、体水分量の算出精度が向上する。
【００９６】
また、ここでは体重を測定できる体重測定機能を備えた管理装置として説明したが、生体電気インピーダンス測定装置と体重測定装置とを別途設け、測定データは通信により送り判定・管理する形態としてもよいし、体重値は別途、キースイッチにより手入力する形態としてもよい。
【００９７】
また、生体電気インピーダンスの測定部位として、ここでは両足間の生体電気インピーダンス測定を行って、各判定を行う装置として説明したが、これに限らず両手間、手足間といったものでもよく、測定部位を限定することはない。
【００９８】
また付加機能として、体重や生体電気インピーダンスの測定から算出することが可能な体脂肪率、体脂肪量、内臓脂肪量、筋肉量、基礎代謝量、骨量といった指標を算出して表示する形態としてもよい。
【００９９】
更に、本実施例で示した婦人用体調管理装置は、外部入出力インターフェイスを備えるものであり、これを用いて外部の端末と通信する形態としてもよい。例えば携帯電話やＰＤＡといった情報端末に本発明の婦人用体調管理装置で測定した測定結果を送信することとし、情報端末はウェブサイトにアクセス可能なものとしておけば有用な情報を提供することが可能となる。食事、美容、運動といった情報を判定された月経の各期間に応じて提供することとすれば、利用者の体調に応じた適切なアドバイスを受けることが可能となり、有益なものとなる。
【図面の簡単な説明】
【０１００】
【図１】婦人の月経周期における生体電気インピーダンス値と体水分量の推移を示す図である。
【図２】本発明の実施例における婦人用体調管理装置の外観図である。
【図３】本発明の実施例における婦人用体調管理装置のブロック図である。
【図４】本発明の実施例における婦人用体調管理装置のフローチャートである。
【図５】本発明の実施例における婦人用体調管理装置の別フローチャートである。
【図６】本発明の実施例における婦人用体調管理装置の表示を示す図である。
【図７】本発明の実施例における婦人用体調管理装置の別の表示を示す図である。
【図８】本発明の実施例における婦人用体調管理装置の更に別の表示を示す図である。
【図９】本発明の原理となる人体の組織内細胞の電気的等価回路を示す図である。
【図１０】本発明において用いる生体電気インピーダンス測定を説明するため人体の生体電気インピーダンスベクトル軌跡を示す図。
【図１１】周波数０Ｈｚおよび周波数無限大と特性周波数の関係を表す図。
【符号の説明】
【０１０１】
１  婦人用体調管理装置
２Ａ，２Ｂ  電流供給電極
３Ａ，３Ｂ  電圧測定電極
６Ａ  アップスイッチ
６Ｂ  ダウンスイッチ
６Ｃ  設定スイッチ
７  表示装置
８  電源スイッチ
１０  マイクロコンピュータ
１３  外部入出力インターフェイス
１４  補助記憶装置
１５  キースイッチ群
２１  フィルタ回路
２２  交流電流出力回路
２３  基準抵抗
２６，２７  差動増幅器
２８  荷重検出装置
２９  増幅器
３０  切替器
３１  Ａ／Ｄ変換器
【図１】
2005052516.tif 000003
【図２】
2005052516.tif 000004
【図３】
2005052516.tif 000005
【図４】
2005052516.tif 000006
【図５】
2005052516.tif 000007
【図６】
2005052516.tif 000008
【図７】
2005052516.tif 000009
【図８】
2005052516.tif 000010
【図９】
2005052516.tif 000011
【図１０】
2005052516.tif 000012
【図１１】
2005052516.tif 000013